(57)【要約】【課題】電源制御装置において、車両が停止しているときに補機の作動を行うときに、予期せぬ原因等によって蓄電装置が過充電となることを抑制することである。【解決手段】電源制御装置１０は、２次電池１２と、ＳＭＲ１４と、ＤＣ／ＤＣコンバータ１６と、低電圧バッテリ１８と、モータ・ジェネレータ８用のＭ／Ｇインバータ２０と、空調用エアコンプレッサ２４用のＡ／Ｃインバータ２２と、制御部４０とを含んで構成される。制御部４０は、車両が停止中に車室内空調を実行させる要求を取得し、シフトポジションの状態とＳＯＣを監視し、電流検出部３０等のデータに基づき充放電電流を監視し、充放電電流の監視結果に基づき、ＳＭＲ１４の開閉制御を行う。【選択図】図１
2008199761.tif 000002
【特許請求の範囲】
【請求項１】
電動回転機と機械的に接続された車軸の回転により発電された電力によって充電される蓄電装置と、
蓄電装置と補機との間の接続状態を制御可能な接続部と、
蓄電装置への充電状態を監視する監視部と、
電動回転機が停止状態であるか否かを判定する判定部と、
判定部によって電動回転機が停止状態であると判断され、
接続部において蓄電装置と補機とが接続状態にあり、
監視部によって蓄電装置への充電が検出されると、蓄電装置と補機との間の接続状態を開放状態とする制御部と、
を備えることを特徴とする電源制御装置。
【請求項２】
請求項１に記載の電源制御装置において、
補機は、空調機であることを特徴とする電源制御装置。
【請求項３】
請求項１に記載の電源制御装置において、
判定部は、車両のシフトポジションが駐車状態とされているときに電動回転機が停止状態であると判断することを特徴とする電源制御装置。
【請求項４】
請求項３に記載の電源制御装置において、
補機は、シフトポジションが駐車状態のときに、車両外からの指示によって駆動可能な車室用空調機であることを特徴とする電源制御装置。
【発明の詳細な説明】
【技術分野】
【０００１】
本発明は、電源制御装置に係り、特に電動回転機によって充電され、補機に電力を供給する蓄電装置を含む電源制御装置に関する。
【背景技術】
【０００２】
電動回転機を備えるハイブリッド車両等では、走行駆動のときには２次電池から電動回転機に電力を供給してモータとして用い、制動時には電動回転機を発電機として用いて２次電池を充電することが行われる。２次電池は、このように電動回転機と接続される他に、室内空調機等の補機にも接続され、これらに必要な電力を供給する機能を有する。
【０００３】
一方、車両の運転走行に先立って、車室内の空調を行わせることがある。例えば、夏場の日中に駐車場に長時間駐車させた後に、車両に乗り込んで運転をするには車室内の温度が高すぎることがある。このような場合には、まず冷房をしばらく行ってから車両に乗り込むことが望ましい。あるいは、寒冷地で、前夜から車庫に駐車させた後、次の朝に車両に乗り込んで運転をするには車室内の温度が低すぎることがある。このような場合には、まず暖房をしばらく行ってから車両に乗り込むこと望ましい。このために、駐車している車両に乗り込む前に、車室内の空調をしばらく行わせるプレ空調機能を備えることが望ましい。
【０００４】
例えば、特許文献１には、夏場等で車両を起動する際、空調による電力消費負荷を軽減するために、事前に換気を行うプレ換気について、無線によってプレ換気操作指示を行うことが開示されている。
【０００５】
なお、関連技術として、特許文献２には、モータで駆動される車両において、ＩＧオフのときに、逆起電力検出用リレーをＯＮして、逆起電力を検出することで、車輪の転がりがあることを検出することが開示されている。
【０００６】
【特許文献１】特開平１１−１３９１５５号公報
【特許文献２】特開２００６−９４６１５号公報
【発明の開示】
【発明が解決しようとする課題】
【０００７】
いわゆるプレ空調機能を備えるハイブリッド車両においては、車軸によって回転される電動回転機によって充電される２次電池である蓄電装置の電力を用いて、車室内空調を行うことができる。プレ空調の実行のように、車両が停止しているときに補機の作動を行うときは、電動回転機は停止しており、蓄電装置から電動回転機に駆動用の電力が供給されず、また、電動回転機からの回生電力が蓄電装置に供給されないはずである。しかしながら、特許文献２で指摘されるように、車両が停車中に何かの原因で車輪の転がりがあると、これにより電動回転機が発電機として作用し、場合によっては蓄電装置に充電電流を供給し、蓄電装置を過充電状態にすることが生じる恐れがある。
【０００８】
本発明の目的は、車両が停止しているときに補機の作動を行うときに、車輪の転がり等の予期せぬ原因によって蓄電装置が過充電となることを抑制する電源制御装置を提供することである。
【課題を解決するための手段】
【０００９】
本発明に係る電源制御装置は、電動回転機と機械的に接続された車軸の回転により発電された電力によって充電される蓄電装置と、蓄電装置と補機との間の接続状態を制御可能な接続部と、蓄電装置への充電状態を監視する監視部と、電動回転機が停止状態であるか否かを判定する判定部と、判定部によって電動回転機が停止状態であると判定され、接続部において蓄電装置と補機とが接続状態にあり、監視部によって蓄電装置への充電が検出されると、蓄電装置と補機との間の接続状態を開放状態とする制御部と、を備えることを特徴とする。
【００１０】
また、補機は、空調機であることが好ましい。
【００１１】
また、判定部は、車両のシフトポジションが駐車状態とされているときに電動回転機が停止状態であると判断することが好ましい。
【００１２】
また、補機は、シフトポジションが駐車状態のときに、車両外からの指示によって駆動可能な車室用空調機であることが好ましい。
【発明の効果】
【００１３】
本発明に係る電源制御装置によれば、蓄電装置への充電状態を監視し、電動回転機が停止状態と判定されているときにおいて、蓄電装置と補機とが接続状態にあって、蓄電装置への充電が検出されると、蓄電装置と補機との間の接続状態を開放状態とするので、蓄電装置への過充電を抑制することができる。
【発明を実施するための最良の形態】
【００１４】
以下に図面を用いて本発明に係る実施の形態につき、詳細に説明する。以下では、蓄電装置に過充電が行われる場合として、車両が停車中であって駆動制御も回生制御も行われていない場合に、転がり等の原因で電動回転機に逆起電力が発生することを説明するが、それ以外の状況下であっても、電動回転機が停止状態のときにおいて、蓄電装置への充電が行われる可能性がある構成であればよい。例えば、転がり以外の原因であって、負荷の状況によっては電動回転機が回転し、逆起電力を発生する構成の電源制御装置の場合であってもよい。
【００１５】
また、何かの原因で、蓄電装置に過充電が行われるときには、電源制御装置が作動していることになるが、以下では、車両が停車中に車室内空調を行うために電源制御装置を作動させるものとして説明する。もちろん、それ以外の補機等を駆動等させるために電源制御装置を作動させる場合であってもよい。例えば、燃料電池を搭載し、車両停車中に燃料電池用の補機を駆動等させるために、電源制御装置を作動させる場合等であってもよい。
【００１６】
また、以下では、電動回転機として、ハイブリッド車両に搭載されるものを説明するが、ハイブリッド車両用でなくてもよい。
【００１７】
また、以下では、電動回転機として、１台で、蓄電装置から電力の供給を受けるときはモータとして機能して負荷を回転し、一方で負荷から制動を受けるときは発電機として機能して回生エネルギを回収して蓄電装置を充電するモータ・ジェネレータを説明するが、モータの機能のみを有する電動回転機と、発電機の機能を有する電動回転機とを別々に備え、これらと電源制御装置が接続される構成であってもよい。
【００１８】
また、蓄電装置として、リチウムイオン組電池またはニッケル水素組電池を用いた２次電池を説明するが、それ以外に、例えば、キャパシタ等の充放電可能な蓄電装置であってもよい。
【００１９】
また、以下で説明する電圧等の値は、説明のための一例であり、用途に合わせ、適当に変更することが可能である。
【００２０】
図１は、ハイブリッド車両における電源制御装置１０の構成を示す図である。ここでは、電動回転機の電源制御装置１０の構成要素ではないが、これに接続される電動回転機としてモータ・ジェネレータ８が示され、また、車両のシフトポジション切換機構６が示されている。なお、ハイブリッド車両において、モータ・ジェネレータ８と並ぶ車両駆動源であるエンジンは、ここでは図示を省略してある。
【００２１】
電源制御装置１０は、２次電池からモータ・ジェネレータ８に電力を供給してモータとして機能させて回転駆動する制御を行い、またモータ・ジェネレータ８が発電機として機能するときは回生エネルギを受けとって２次電池を充電する制御を行う。そして、特にここでは、モータ・ジェネレータ８が停止状態とされるとき、すなわち、駆動制御も回生制御も行われていない状態のとき、２次電池に過充電が行われないように、過充電抑制制御を行う機能を有する。
【００２２】
車両のシフトポジション切換機構６は、車両の走行状態等に応じて変速段を切り換える機構で、車速とアクセル開度等に基づいて自動的に変速段を切り換えるものの他、手動で変速段を切り換えるもの等がある。シフトポジション切換機構６からは、シフトポジション状態を示す信号が、後述の制御部４０に伝送される。例えば、車両が停止して、図示されていないエンジンもモータ・ジェネレータ８も停止状態にあるときは、Ｐ（駐車）状態を示す信号が制御部４０に伝送される。これによって制御部４０は、モータ・ジェネレータ８が、駆動制御も回生制御も行われていない状態であることを取得することができる。
【００２３】
モータ・ジェネレータ（Ｍｏｔｏｒ  Ｇｅｎｅｒａｔｏｒ：Ｍ／Ｇ）８は、車両の車輪の駆動軸に接続される３相同期型の電動回転機である。そして、上記のように、三相電力の供給を受けて車輪を駆動するモータとして機能し、車両が制動を受けるときは発電機として機能して、回生エネルギを２次電池１２側に供給する。
【００２４】
これに対応し、電源制御装置１０は、以下の構成を有する。すなわち、２次電池１２と、システムメインリレー（Ｓｙｓｔｅｍ  Ｍａｉｎ  Ｒｅｌａｙ：ＳＭＲ）１４と、ＤＣ／ＤＣコンバータ１６と、低電圧バッテリ１８と、モータ・ジェネレータ８用のＭ／Ｇインバータ２０と、車室内空調用エアコンプレッサ２４用のＡ／Ｃ（Ａｉｒ  Ｃｏｎｄｉｔｉｏｎｅｒ）インバータ２２と、制御部４０とを含んで構成される。
【００２５】
２次電池１２は、充放電が可能な蓄電装置である。ここでは、リチウムイオン単電池を複数組み合わせ、またはニッケル水素単電池を複数組み合わせて、２００Ｖから４００Ｖ程度、例えば、約２８８Ｖの高電圧バッテリとした組電池を用いることができる。
【００２６】
２次電池１２の周辺には、２次電池１２の状態を検出するための電流検出部３０、電圧検出部３２、電池温度検出部３４が設けられる。電流検出部３０は、２次電池１２からの放電電流の大きさを検出し、あるいは２次電池１２への充電電流の大きさを検出する機能を有するもので、例えば、適当な電流センサ等を用いることができる。電圧検出部３２は、２次電池１２の両端子間の電圧の大きさを検出する機能を有し、例えば、適当な電圧センサを用いることができる。電池温度検出部３４は、２次電池１２の内部または筐体または周囲の温度を検出する機能を有し、例えば、適当な温度センサ等を用いることができる。
【００２７】
電流検出部３０、電圧検出部３２、電池温度検出部３４の検出データは、制御部４０に伝送され、これによって、制御部４０は、２次電池１２の状態を取得することができる。例えば、電流検出部３０から取得したデータに基づいて、２次電池１２への充電が行われていることを判断することができる。また、これらのデータに基づいて、２次電池１２の充電状態であるＳＯＣ（Ｓｔａｔｅ  ｏｆ  Ｃｈｒａｇｅ）を計算して取得することができる。なお、場合によっては、電流検出部３０、電圧検出部３２、電池温度検出部３４のいくつかを省略することもできる。
【００２８】
ＳＭＲ１４は、高電圧の２次電池１２側において高電圧電力ラインのオン・オフを行うためのリレーである。高電圧電力を遮断する際のリレー溶着を考慮して、正極母線側と負極母線側にそれぞれ１つずつのリレーが設けられる。好ましくは、いずれか側のリレーには電流制限抵抗を接続することが好ましい。
【００２９】
ＤＣ／ＤＣコンバータ１６は、２次電池１２側の電圧から異なる電圧を作り出す回路で、ここでは、低電圧バッテリ１８のための電圧を作り出す機能を有する。
【００３０】
低電圧バッテリ１８は、例えば、約１４Ｖの低圧で作動する補機等に対し、低圧電力を供給する２次電池である。なお、低電圧電力を平滑化するために、低電圧の正極母線と負極母線との間に適当な平滑コンデンサを設けることが好ましい。
【００３１】
Ｍ／Ｇインバータ２０は、高電圧の正極母線と負極母線との間に設けられ、モータ・ジェネレータ８に接続される回路で、２次電池１２の直流電力を、スイッチング素子等を用いて、３相駆動信号に変換する機能を有する直流交流変換回路である。なお、モータ・ジェネレータ８が発電機として機能するときは、モータ・ジェネレータ８からの３相回生電力を、スイッチング素子等を用いて直流電力に変換する機能を有する。なお、高電圧の電力を平滑化するために、高電圧の正極母線と負極母線との間に適当な平滑コンデンサを設けることが好ましい。
【００３２】
Ａ／Ｃインバータ２２は、Ｍ／Ｇインバータ２０と同様に、高電圧の正極母線と負極母線との間に設けられ、空調用エアコンプレッサ（ＡＣＰ）２４に接続される回路で、２次電池１２の直流電力を、スイッチング素子等を用いて、交流駆動信号に変換する機能を有する直流交流変換回路である。
【００３３】
空調用エアコンプレッサ２４は、車室内の冷暖房等の空調を行うために、冷媒を循環させる装置で、ここでは、車室内用空調装置の代表として示されている。空調用エアコンプレッサ２４は、Ａ／Ｃインバータ２２からの交流駆動信号の供給を受けて作動する。
【００３４】
制御部４０は、上記の各構成要素の作動を統合的に制御する機能を有する。かかる制御部４０は、車両搭載用のコンピュータで構成することができる。制御部４０は、後述のように、いくつかに細分化された制御機能を有し、数個のコントローラに分けて構成されるが、ここでは、１つの制御部４０として示してある。もちろん、制御部４０を１つの独立のコンピュータとして構成することもでき、また、車両に別のコンピュータが搭載されているときは、制御部４０の機能を、そのコンピュータの機能に含ませるものとすることもできる。例えば、車両運行統合ＣＰＵ等が別に搭載されるときは、制御部４０の機能を、車両運行統合ＣＰＵの機能に含ませることができる。
【００３５】
制御部４０は、モータ・ジェネレータ８についての制御を行う他、ここでは特に、モータ・ジェネレータ８が停止状態とされるとき、すなわち、駆動制御も回生制御も行われていない状態のとき、２次電池１２に過充電が行われないように、過充電抑制制御を行う機能を有する。すなわち、車両が停止中に車室内空調を実行させる要求を取得するプレ空調起動要求取得モジュール５０と、シフトポジションの状態とＳＯＣを監視するシフトポジション・ＳＯＣ監視モジュール５２と、電流検出部３０等のデータに基づき充放電電流を監視する充放電電流監視モジュール５４と、充放電電流の監視結果に基づき、ＳＭＲ１４の開閉制御を行うＳＭＲ制御モジュール５６とを含んで構成される。かかる機能は、ソフトウェアで実現でき、具体的には、対応する電源制御プログラムを実行することで実現できる。これらの機能の一部をハードウェアで実現することもできる。
【００３６】
上記のように、ＳＭＲ１４によって高電圧ラインのオン・オフが制御され、空調用エアコンプレッサ２４は、高電圧によって作動するＡ／Ｃインバータ２２に接続される。したがって、ＳＭＲ１４は、蓄電装置である２次電池１２と補機である空調用エアコンプレッサ２４との間の接続状態を制御する接続部に相当し、その制御は、制御部４０のＳＭＲ制御モジュール５６によって行われる。また、上記電流検出部３０等のデータに基づき充放電電流を監視する充放電電流監視モジュール５４は、蓄電装置である２次電池１２への充電状態を監視する監視部に相当する。また、上記シフトポジション・ＳＯＣ監視モジュール５２は、シフトポジションの状態を監視することで、電動回転機であるモータジェネレータ８が停止状態であるか否かを判定する判定部としての機能を有する。
【００３７】
図２は、制御部４０の内容をさらに詳細に説明するための図である。ここでは、図１と同様の要素には同一の符号を付し、詳細な説明を省略する。なお、図２においては、約５Ｖ及び上記の例で約１４Ｖの低電圧系を細い実線で示し、上記の例で約２８８Ｖの高電圧系を太い実線で示し、通信系、すなわちディジタル信号またはアナログ信号で制御信号を伝送するものを二重線で示した。また、矢印付き破線は、制御信号の流れを示すもので、○で囲まれた数字は、後述する図３のフローチャートの手順番号に対応するように示されている。
【００３８】
図１における制御部４０は、図２において、照合ＥＣＵ４１、ボデーＥＣＵ４２、電源制御部４３とＨＶＣＰＵ４４とを含むＨＶＥＣＵ４５、エンジンＥＣＵ４６、Ａ／ＣＥＣＵ４７とに分けて示される。もちろん、この分け方と異なる構成をとることもでき、場合によっては、いくつかの要素を省略することもできる。
【００３９】
また、図１に示されていない構成要素として、図２においては、無線でプレ空調の指示を与えることができるワイヤレススイッチ６０、Ａ／ＣＥＣＵ４７に接続される空調用のブロワモータ６２、エンジンＥＣＵ４６に接続される電動ファン６４、２つのイグニッションスイッチである第１ＩＧ７０と第２ＩＧ７２が示されている。ここで、ＨＶは、Ｈｙｂｒｉｄ  Ｖｅｈｉｃｌｅの略、ＩＧは、Ｉｇｎｉｔｉｏｎの略、ＥＣＵは、Ｅｌｅｃｔｒｉｃ  Ｃｏｎｔｏｒｏｌ  Ｕｎｉｔの略、ＣＰＵは、Ｃｅｎｔｒａｌ  Ｐｒｏｃｅｓｓｉｎｇ  Ｕｎｉｔの略である。
【００４０】
照合ＥＣＵ４１は、ワイヤレススイッチ６０からの無線信号を取得し、その無線信号が、その車両に適合したものであるか否かを照合する機能を有する。つまり、無線信号に含まれるＩＤ情報を、その車両のＩＤデータと照合し、一致するときは、無線信号に含まれる指示データを取得し、図２の場合ボデーＥＣＵ４２に伝送する機能を有する。一致しないときは、指示データを取得しない。照合ＥＣＵ４１は、図２において○印にＢとして示される約５Ｖの電源によって作動し、この電源は、車両が停止しても照合ＥＣＵ４１に供給される。
【００４１】
ボデーＥＣＵ４２は、照合ＥＣＵ４１と同様に、車両が停止中でも供給される約５Ｖの電源によって作動し、照合ＥＣＵ４１から取得した指示データを、所定の処理手順に従って、ＨＶＥＣＵ４５に伝送する機能を有する。
【００４２】
エンジンＥＣＵ４６は、ここでは空調装置の一部である電動ファン６４の作動を制御する機能を有する。なお、エンジンＥＣＵ４６は、低電圧バッテリ１８またはＤＣ／ＤＣコンバータ１６から作り出された約１４Ｖの電圧によって作動する。この約１４Ｖの電圧を有する電力は、第２ＩＧ７２がオンすることで、エンジンＥＣＵ４６に供給される。
【００４３】
Ａ／ＣＥＣＵ４７は、Ａ／Ｃインバータ２２を制御する他、図２に示されるように、空調装置の一部であるブロワモータ６２の作動を制御する機能を有する。なお、Ａ／ＣＥＣＵ４７は、低電圧バッテリ１８またはＤＣ／ＤＣコンバータ１６から作り出された約１４Ｖの電圧によって作動する。この約１４Ｖの電圧を有する電力は、第１ＩＧ７０がオンすることで、Ａ／ＣＥＣＵ４６と、Ａ／Ｃインバータ２２に供給される。
【００４４】
ＨＶＥＣＵ４５は、上記のように、電源制御部４３とＨＶＣＰＵ４４とを含んで構成され、電源制御装置１０の中核をなす制御装置である。
【００４５】
電源制御部４３は、第１ＩＧ７０と、第２ＩＧ７２の作動を制御する機能を有し、具体的には、これらのイグニッションスイッチを構成するリレーコイルに約５Ｖの駆動信号を与えることでオンさせ、駆動信号を０Ｖとすることでオフさせる機能を有する。電源制御部４３自体の起動は、ボデーＥＣＵ４２からの指令による。つまり、ボデーＥＣＵ４２は、ＨＶＥＣＵ４５に電源制御部４３の起動を指令し、これによって電源制御部４３が起動し、第１ＩＧ７０と第２ＩＧ７２とにオン信号を与えることができる。
【００４６】
第１ＩＧ７０は、上記のように、電源制御部４３からの約５Ｖの駆動信号によってオンし、これによって、約１４Ｖの電圧を有する電力をＡ／ＣＥＣＵ４７と、Ａ／Ｃインバータ２２に供給する機能を有する低電圧電源の起動スイッチである。
【００４７】
第２ＩＧ７２は、上記のように、電源制御部４３からの約５Ｖの駆動信号によってオンし、これによって、約１４Ｖの電圧を有する電力をエンジンＥＣＵ４６と、図２に示されるように、ＨＶＥＣＵ４５に供給する機能を有する低電圧電源の起動スイッチである。ＨＣＥＣＵ４５の中で、電源制御部４３は、第２ＩＧ７２の制御行うものであるので、実際には、第２ＩＧ７２のオンによってＨＶＣＰＵ４４に約１４Ｖの電圧を有する電力が供給される。
【００４８】
ＨＶＣＰＵ４４は、シフトポジション切換機構６からのシフトポジション状態信号、電流検出部３０、電圧検出部３２、電池温度検出部３４からのデータ信号等に基づき、ＳＭＲ１４のオン・オフを制御する機能を有する。
【００４９】
上記構成の作用、特に制御部４０の各機能について、図３のフローチャートを用いて説明する。図３は、制御部４０の機能の中で、特に、２次電池１２への過充電を抑制するための手順を示すフローチャートで、各手順は、電源制御プログラムの過充電抑制の部分の各処理手順に対応する。なお、以下では、図１、図２の符号を用いて説明する。
【００５０】
図３において、初期状態は、第１ＩＧ７０、第２ＩＧ７２、ＳＭＲ１４がいずれもオフ状態で、シフトポジション切換機構６は、Ｐ（駐車）状態にある。したがって、車両は駐車状態にあり、モータ・ジェネレータ８は停止状態にあり、駆動状態でなく、また回生状態でもない。また、空調装置としての空調用エアコンプレッサ２４、ブロワモータ６２、電動ファン６４等はいずれも作動していない。なお、この状態でも、上記で説明したように、照合ＥＣＵ４１とボデーＥＣＵ４２には、作動のための約５Ｖの電源が供給されている。
【００５１】
ここで、ユーザが、車両に乗り込む前に、車両外からの指示によって、車室内の空調を予め行わせたい、すなわちプレ空調の指示をしたいと考えるときは、ワイヤレススイッチ６０を用いて、制御部４０に対し指示を与えることができる。すなわち、ワイヤレススイッチ６０を用いてワイレス入力が行われる（Ｓ１）。ワイヤレス入力が行われると、上記のように照合ＥＣＵ４１が、無線信号に含まれるＩＤデータを認証し、正しいＩＤの場合には、ボデーＥＣＵ４２に、プレ空調指示があったことの旨が信号として伝送される。図２では、この信号の流れが○印に数字の１を有する破線で示されている。ここで、数字の１は、工程番号のＳ１に対応付けてある。以下、同じである。
【００５２】
照合ＥＣＵ４１からプレ空調指示があった旨の信号を取得すると、次にボデーＥＣＵ４２が、ＨＶＥＣＵ４５の中の電源制御部４３に対し、起動のための入力信号を与える（Ｓ２）。つまり、ボデーＥＣＵ４２からの起動入力信号によって、電源制御部４３は起動する。図２では、この信号の流れが○印に数字の２を有する破線で示されている。
【００５３】
電源制御部４３は起動すると、電源制御部４３は、第１ＩＧ７０のリレーコイルと第２
ＩＧ７２のリレーコイルにそれぞれ、約５Ｖの駆動信号を与え、これにより、第１ＩＧ７０と第２ＩＧ７２とがオンする（Ｓ３）。図２では、この信号の流れが○印に数字の３を有する破線で示されている。
【００５４】
そして、第１ＩＧ７０のオンによってＡ／ＣＥＣＵ４７とＡ／Ｃインバータ２２に約１４Ｖの電圧を有する電力が供給され、同様に、第２ＩＧ７２のオンによってＨＶＣＰＵ４４とエンジンＥＣＵ４６に約１４Ｖの電圧を有する電力が供給され、それぞれが起動する（Ｓ４）。図２では、この状態が○印に数字の４で示されている。
【００５５】
このように、制御部４０を構成する各要素にそれぞれ電源が供給されると、その状態がボデーＥＣＵ４２に伝達され、そこで、ボデーＥＣＵ４２は、ＨＶＣＰＵ４４に、ＳＭＲオンを要求する（Ｓ５）。図２では、この信号の流れが○印に数字の５を有する破線で示されている。
【００５６】
このように、ユーザがワイヤレススイッチ６０を用いてプレ空調の指示を行うと、Ｓ１からＳ５までの手順が、照合ＥＣＵ４１、ボデーＥＣＵ４２、ＨＶＥＣＵ４５によってプログラムの処理手順に従って自動的に実行される。そして、Ｓ５が実行されることで、ユーザのプレ空調起動要求の指示が、制御部４０において完全に取得されたことになる。このように、図１におけるプレ空調起動要求取得モジュール５０の機能は、具体的には上記のように、照合ＥＣＵ４１、ボデーＥＣＵ４２、ＨＶＥＣＵ４５によって、上記のＳ１からＳ５までの手順が実行されて実現される。
【００５７】
図３において、Ｓ５の後は、シフトポジション状態がＰであるか否かが判断され（Ｓ６）、次に、ＳＯＣが適切であるか否かが判断される（Ｓ７）。この機能は、制御部４０のシフトポジション・ＳＯＣ監視モジュール５２の機能によって実行される。図２でいえば、ＨＶＣＰＵ４４の機能によって判断処理が行われる。すなわち、Ｓ６において、シフトポジション切換機構６からのシフトポジション状態信号がＰ状態であるか否かを判断し、Ｐ状態であれば、モータ・ジェネレータ８が停止状態であると判定する。そしてＳ７において、電流検出部３０、電圧検出部３２、電池温度検出部３４のデータに基づいて現在のＳＯＣを計算し、計算結果のＳＯＣの値が車室内空調を実行するのに十分な値であるか否かを判断する。ＳＯＣの計算は、予めマップあるいは計算式を記憶しておき、これに電流検出部３０、電圧検出部３２、電池温度検出部３４のデータを適用して求めるものとできる。
【００５８】
Ｓ６、Ｓ７において判断がいずれも肯定であるときは、ＳＭＲがオンされる（Ｓ８）。この機能は、制御部４０のＳＭＲ制御モジュール５６の機能によって実行される。図２でいえば、ＨＶＣＰＵ４４の機能によって、ＳＭＲ１４のリレーコイルに対し、約５Ｖの駆動信号が与えられることによって実行される。図２では、この状態が○印に数字の８で示されている。なお、Ｓ６、Ｓ７において判断が否定であるときは、以後の処理が行われず、プログラムの実行が終了する。
【００５９】
これによって、ＤＣ／ＤＣコンバータ１６とＡ／Ｃインバータ２２に、２次電池１２の高電圧を有する電力が供給される。ＤＣ／ＤＣコンバータ１６が作動することで、低電圧バッテリ１８に充電が行われ、エンジンＥＣＵ４６、Ａ／ＣＥＣＵ４７、Ａ／Ｃインバータ２２等に、約１４Ｖの電圧を有する電力が十分に供給されることになる。また、Ａ／Ｃインバータ２２に高電圧が供給されることで、高電圧で作動する空調用エアコンプレッサ２４に、交流駆動信号を十分に供給できる。このようにして、空調装置としての空調用エアコンプレッサ２４、ブロワモータ６２、電動ファン６４等が作動し、車室内の空調が行われる。
【００６０】
なお、図１に示されるように、このときＭ／Ｇインバータ２０にも２次電池１２の高電圧を有する電力が供給される。したがって、仮に、モータ・ジェネレータ８が、何かの原因で転がり等を生じると、モータ・ジェネレータ８が発電機として機能して、逆起電力を発生し、Ｍ／Ｇインバータ２０の作用によって、直流高圧電力に変換され、２次電池１２に充電電力を供給することになる。
【００６１】
そこで、シフトポジション状態がＰであるか否かが判断され（Ｓ１０）、ＳＯＣが適切であるか否かが判断され（Ｓ１１）、さらに、２次電池１２に流れる電流Ｉの大きさが閾値充電電流Ｉ0を超えるか否かが判断される（Ｓ１２）。Ｓ１２の機能は、制御部４０の充放電電流監視モジュール５４の機能によって実行される。図２でいえば、ＨＶＣＰＵ４４の機能によって判断処理が行われる。Ｓ１０、Ｓ１１の内容は、Ｓ６、Ｓ７と同様であるので、詳細な説明を省略する。なお、Ｓ１０、Ｓ１１において判断が否定であるときは、以後の処理が行われず、プログラムの実行が終了することは、Ｓ６、Ｓ７の場合と同様である。
【００６２】
Ｓ１２は、２次電池１２に予期せぬ充電電流が流れるか否かを判断するもので、閾値充電電流Ｉ0は、実質上ゼロとして設定でき、電流検出部３０の検出能力等にオフセットがある場合等には、そのオフセットを考慮して設定することができる。なお、放電電流は予期されるものであるので、Ｓ１２における電流Ｉの符号は、充電側がプラスである。電流Ｉの検出は、電流検出部３０のデータに基づいて取得することができる他、電圧検出部３２のデータに基づくことができる。例えば、２次電池１２の端子電圧が上昇することで、２次電池１２が充電されたと判断することができる。電流検出部３０、電圧検出部３２のデータは、電池温度検出部３４によって取得される電池温度に応じて適当に補正されることが好ましい。
【００６３】
Ｓ１２において判断が否定であれば、２次電池１２に充電電流が流れず、過充電の恐れがないので、Ｓ１０に戻り、Ｓ１１、Ｓ１２の判断が繰り返される。そのあいだ、車室内空調は継続される。Ｓ１２において判断が肯定されると、ＳＭＲ１４がオフされる（Ｓ１３）。そして、以後の処理が行われず、プログラムの実行が終了する。この機能は、制御部４０のＳＭＲ制御モジュール５６の機能によって実行される。図２でいえば、ＨＶＣＰＵ４４の機能によって処理が行われる。
【００６４】
これによって、蓄電装置である２次電池１２と、モータ・ジェネレータ８との間の接続を開放状態とし、２次電池１２への過充電を抑制、あるいは防止することができる。また、同時に、２次電池１２と、補機である空調設備との間の接続状態を開放状態とできる。具体的には、Ａ／Ｃインバータ２２の接続状態を開放状態とし、空調用エアコンプレッサ２４の作動を停止することができる。
【００６５】
また、ＳＭＲ１４をオフとすると共に、制御部４０の作動を停止することが好ましい。すなわち、約１４Ｖの電圧を有する電力の供給を止め、図２におけるＨＶＥＣＵ４５、エンジンＥＣＵ４６、Ａ／ＣＥＣＵ４７、Ａ／Ｃインバータ２２の作動を止める。これにより、低電圧バッテリ１８の電力消耗を抑制することができる。
【図面の簡単な説明】
【００６６】
【図１】本発明に係る実施の形態において、ハイブリッド車両における電源制御装置の構成を示す図である。
【図２】本発明に係る実施の形態において、制御部の内容をさらに詳細に説明するための図である。
【図３】本発明に係る実施の形態において、過充電抑制制御の手順を示すフローチャートである。
【符号の説明】
【００６７】
６  シフトポジション切換機構、８  モータ・ジェネレータ（Ｍ／Ｇ）、１０  電源制御装置、１２  ２次電池、１４  ＳＭＲ、１６  ＤＣ／ＤＣコンバータ、１８  低電圧バッテリ、２０  Ｍ／Ｇインバータ、２２  Ａ／Ｃインバータ、２４  空調用エアコンプレッサ（ＡＣＰ）、３０  電流検出部、３２  電圧検出部、３４  電池温度検出部、４０  制御部、４１  照合ＥＣＵ、４２  ボデーＥＣＵ、４３  電源制御部、４４  ＨＶＣＰＵ、４５  ＨＶＥＣＵ、４６  エンジンＥＣＵ、４７  Ａ／ＣＥＣＵ、５０  プレ空調起動要求取得モジュール、５２  シフトポジション・ＳＯＣ監視モジュール、５４  充放電電流監視モジュール、５６  ＳＭＲ制御モジュール、６０  ワイヤレススイッチ、６２  ブロワモータ、６４  電動ファン、７０  第１ＩＧ、７２  第２ＩＧ。
【図１】
2008199761.tif 000003
【図２】
2008199761.tif 000004
【図３】
2008199761.tif 000005